(57)【特許請求の範囲】
【請求項１】
錠箱と、その錠箱内に組み込まれたプリント基板の制御部によって駆動が制御される駆動モータと、その駆動モータの回転を減速するギヤ減速機構と、そのギヤ減速機構の出力ギヤの回転を駆動源として進退動されるデッドボルトと、そのデッドボルトの施錠位置および解錠位置を検出する２つの位置検出用近接スイッチとを有し、前記近接スイッチからの出力信号により前記駆動モータを逆回転させて出力ギヤをニュートラル位置に戻すようにした電気錠のスイッチ機構において、
前記錠箱内に、前記出力ギヤの正逆回転に連動して昇降動されるラックプレートと、そのラックプレートの昇降動により設定角度正逆回転して、前記デッドボルトを施錠位置と解錠位置との間で進退動させるデッドハブと、前記ラックプレートに一端部が連結され、そのラックプレートの昇降動に連動して設定角度揺動するスイッチレバーと、前記プリント基板を収容する基板ケースとを組込み、前記基板ケースの側板に設けられた支点ピンによって前記スイッチレバーの中央部を揺動自在に支持し、そのスイッチレバーの他端部に前記近接スイッチを作動させる磁石を設け、前記プリント基板の部品実装面には、前記スイッチレバーと共に揺動する磁石の停止位置のそれぞれに対向して前記２つの近接スイッチを設け、前記一方の近接スイッチから出力される検出信号を施錠信号とし、他方の近接スイッチから出力される検出信号を解錠信号として、その信号の出力により前記駆動モータを直前の回転方向に対して逆方向に回転させるようにしたことを特徴とする電気錠のスイッチ機構。
【請求項２】
前記出力ギヤの正逆回転によってラックプレートを昇降動させる連動機構が、前記出力ギヤの一側面に円弧状の長孔を設け、その長孔内にクランクアーム一端部に設けられた連動ピンをスライド自在に嵌合し、クランクアームの他端部をラックプレートに回動自在に連結した構成からなる請求項１に記載の電気錠のスイッチ機構。
【発明の詳細な説明】
【技術分野】
【０００１】
この発明は、駆動モータによってデッドボルトを進退動させるようにした電気錠のスイッチ機構に関する。
【背景技術】
【０００２】
駆動モータによってデッドボルトを施錠位置と解錠位置との間で進退動させるようにした電気錠として、特許文献１に記載されたものが従来から知られている。この電気錠においては、プリント基板に設けられた制御部によって駆動が制御される駆動モータの回転をギヤ減速機構により減速し、そのギヤ減速機構の出力ギヤの回転に連動してダルマを設定角度正逆方向に回転させ、そのダルマとデッドボルトを連結するクランクアームを介して、デッドボルトを施錠位置と解錠位置との間で進退動させるようにしている。
【０００３】
ところで、上記電気錠においては、出力ギヤに形成された円弧状の長孔内に駆動アームの一端部に設けられた連動ピンをスライド自在に嵌合し、その駆動アームの他端部をダルマに形成されたアーム連結片に連結して、出力ギヤの回転によりダルマを設定角度回転させるようにしている。
【０００４】
ここで、駆動モータの駆動によりダルマを回転させてデッドボルトを施錠位置あるいは解錠位置に移動させた状態で出力ギヤが停止されると、連動ピンは長孔の回転方向の後行側の端面に係合して、長孔の回転方向の先行側の端面と連動ピンとの間に遊びがあるため、駆動モータの逆回転によりデッドボルトを逆方向に移動させようとすると、出力ギヤが空回転して、その回転をダルマに伝達することができず、デッドボルトを直ちに移動させることができない。
【０００５】
このため、デッドボルトを施錠位置あるいは解錠位置に移動させると、駆動モータを逆転させて出力ギヤを原点位置(ニュートラル位置)に戻す必要がある。
【０００６】
そこで、上記従来の電気錠においては、錠箱内にデッドボルトの施錠位置および解錠位置を検出する２つの位置検出用近接スイッチを設け、デッドボルトが施錠位置まで移動した際、そのデッドボルトに設けられた磁石により、一方の近接スイッチを作動させ、その近接スイッチから出力される検出信号により駆動モータを逆転させて出力ギヤをニュートラル位置に戻すようにしている。
【０００７】
また、デッドボルトが解錠位置まで移動した際、上記磁石により、他方の近接スイッチを作動させ、その近接スイッチから出力される検出信号により駆動モータを逆転させて出力ギヤをニュートラル位置に戻すようにしている。
【先行技術文献】
【特許文献】
【０００８】
【特許文献１】特許第４５５３６８９号公報
【発明の概要】
【発明が解決しようとする課題】
【０００９】
ところで、上記従来の電気錠のスイッチ機構においては、デッドボルトの上側に組み込まれた基板ケース内にプリント基板を収容し、そのプリント基板の下縁に施錠位置検出用と解錠位置検出用の２つの近接スイッチを設け、一方、デッドボルトに作動カムを枢着し、その作動カムに設けられたスライド片に磁石を固定して、上記デッドボルトを完全に施錠位置まで移動させてロック動作に至る過程で、磁石が施錠位置検出用近接スイッチに対して近接するよう作動カムを位置変位させて近接スイッチを作動させ、また、デッドボルトが解錠位置まで後退したとき、磁石を解錠位置検出用近接スイッチに対向させて、そのスイッチを作動させる構成であるため、以下のような問題がある。
【００１０】
すなわち、磁石を支持するデッドボルトはスライド自在の支持であるため、ガタを有し、また、近接スイッチを支持するプリント基板は、基板ケースに対して取付け誤差があり、一方、基板ケースは錠箱に対して取付け誤差があるため、近接スイッチと磁石の相互間に精度の高い位置関係を確保することができず、磁石と近接スイッチの対向部間に形成される間隙が必要以上に大きくなり過ぎて、近接スイッチが作動しない場合がある。
【００１１】
また、デッドボルトに近接して近接スイッチを配置する必要があるため、プリント基板には、駆動モータとデッドボルト間に配置されるスイッチ支持片部を設ける必要があり、プリント基板およびそのプリント基板を収容する基板ケースの形状が複雑化して、製作に手間がかかる。
【００１２】
さらに、デッドボルトを施錠位置に配置してロックする過程で磁石を解錠位置検出用近接スイッチに対向させるため、作動カムや、その作動カムを揺動させるクランクアームを必要とし、部品点数が多くなってコストも高く、組立てに手間がかかる問題がある。
【００１３】
この発明の課題は、近接スイッチを確実に作動させることができる部品点数の少ない簡単な構成の電気錠のスイッチ機構を提供することである。
【課題を解決するための手段】
【００１４】
上記の課題を解決するために、この発明においては、錠箱と、その錠箱内に組み込まれたプリント基板の制御部によって駆動が制御される駆動モータと、その駆動モータの回転を減速するギヤ減速機構と、そのギヤ減速機構の出力ギヤの回転を駆動源として進退動されるデッドボルトと、そのデッドボルトの施錠位置および解錠位置を検出する２つの位置検出用近接スイッチとを有し、前記近接スイッチからの出力信号により前記駆動モータを逆回転させて出力ギヤをニュートラル位置に戻すようにした電気錠のスイッチ機構において、前記錠箱内に、前記出力ギヤの正逆回転に連動して昇降動されるラックプレートと、そのラックプレートの昇降動により設定角度正逆回転して、前記デッドボルトを施錠位置と解錠位置との間で進退動させるデッドハブと、前記ラックプレートに一端部が連結され、そのラックプレートの昇降動に連動して設定角度揺動するスイッチレバーと、前記プリント基板を収容する基板ケースとを組込み、前記基板ケースの側板に設けられた支点ピンによって前記スイッチレバーの中央部を揺動自在に支持し、そのスイッチレバーの他端部に前記近接スイッチを作動させる磁石を設け、前記プリント基板の部品実装面には、前記スイッチレバーと共に揺動する磁石の停止位置のそれぞれに対向して前記２つの近接スイッチを設け、前記一方の近接スイッチから出力される検出信号を施錠信号とし、他方の近接スイッチから出力される検出信号を解錠信号として、その信号の出力により前記駆動モータを直前の回転方向に対して逆方向に回転させるようにした構成を採用したのである。
【００１５】
上記の構成からなる電気錠のスイッチ機構において、駆動モータを一方向に回転させると、その回転はギヤ減速機構により減速されて出力ギヤが一方向に減速回転し、その回転によりラックプレートが上昇する。そのラックプレートの上昇動に連動してデッドハブが一方向(施錠方向)に回転し、デッドボルトが施錠位置に向けて移動する。
【００１６】
また、駆動モータを逆方向に回転させると、上記出力ギヤが逆方向に回転し、その回転によりラックプレートが下降する。そのラックプレートの下降動に連動してデッドハブが他方向(解錠方向)に回転し、デッドボルトが解錠位置に向けて移動する。
【００１７】
このとき、ラックプレートにはスイッチレバーの一端部が連結されているため、上記ラックプレートの昇降動に連動してスイッチレバーが揺動する。ここで、デッドボルトが施錠位置まで移動すると、スイッチレバーの他端部に設けられた磁石が施錠位置検出用の近接スイッチと対向し、その近接スイッチから検出信号が出力される。また、デッドボルトが解錠位置まで移動すると、上記磁石が解錠位置検出用の近接スイッチと対向し、その近接スイッチから検出信号が出力される。
【００１８】
近接スイッチからの出力信号は制御部に出力される。制御部は近接スイッチから入力される検出信号により駆動モータを直前の回転方向に対して逆方向に回転させ、その駆動モータの逆回転により出力ギヤはニュートラルの位置に戻される。
【００１９】
この発明においては、ラックプレートの昇降動に連動して揺動するスイッチレバーを基板ケースの側板で揺動自在に支持し、そのスイッチレバーの端部に設けられた磁石によって作動される２つの近接スイッチのそれぞれをプリント基板の部品実装面で支持するようにしているため、近接スイッチと磁石の相互間に精度の高い位置関係を確保することができ、磁石によって近接スイッチを確実に作動させることができる。
【００２０】
この発明に係る電気錠のスイッチ機構において、出力ギヤの正逆回転によってラックプレートを昇降動させる連動機構として、出力ギヤの一側面に円弧状の長孔を設け、その長孔内にクランクアーム一端部に設けられたピンをスライド自在に嵌合し、クランクアームの他端部をラックプレートに回動自在に連結した構成のものを採用することができる。
【発明の効果】
【００２１】
この発明においては、上記のように、ラックプレートの昇降動に連動して揺動するスイッチレバーを基板ケースの側板で揺動自在に支持し、そのスイッチレバーの端部に設けられた磁石によって作動される２つの近接スイッチのそれぞれを基板ケース内に収容されたプリント基板の部品実装面で支持するようにしたため、近接スイッチと磁石の相互間に精度の高い位置関係を確保することができ、磁石によって近接スイッチを確実に作動させることができる。
【００２２】
また、近接スイッチは、デッドボルトに近接して配置する必要がないため、プリント基板およびそのプリント基板を収容する基板ケースは単純な形状の小型のものとすることができ、製作の容易化とコストの低減を図ることができる。
【００２３】
さらに、ギヤ減速機構の出力ギヤの回転によりラックプレートを昇降動させ、そのラックプレートの昇降動に連動してスイッチレバーを揺動させて、近接スイッチを作動させる部品点数の少ない簡単な構成であるため、組立てが容易であり、コストの安い電気錠を提供することができる。
【００２４】
また、スイッチレバーの揺動によって近接スイッチを作動させるため、レバーの揺動中心からラックプレートの連結位置までのレバー長さと磁石の支持位置までのレバー長さのレバー比を変更することによってデッドハブの回転角が小さな電気錠にも対応を可能とすることができる。
【図面の簡単な説明】
【００２５】
【図１】この発明に係る電気錠のスイッチ機構の実施の形態を示す縦断面図
【図２】図２は、電気錠の施錠状態を示す縦断面図
【図３】図１のIII−III線に沿った断面図
【図４】図１に示す基板ケースの一部切欠正面図
【図５】図４のV−V線に沿った断面図
【図６】デッドボルトおよびそのデッドボルトの移動を案内するガイド盤の分解斜視図
【図７】出力ギヤとラックプレートを示す分解斜視図
【図８】(ａ)乃至(ｃ)は出力ギヤの回転動作を段階的に示す動作説明図
【発明を実施するための形態】
【００２６】
以下、この発明の実施の形態を図面に基づいて説明する。図１乃至図３に示すように、錠箱１は、扁平な角形をなし、その前側には裏板２が設けられ、その裏板２の前面にフロントプレート３が衝合されて、ビス３ａの締め付けにより裏板２に取付けられている。
【００２７】
錠箱１の内部には、フロントプレート３および裏板２に形成された角形のボルト挿入孔４に対して出没可能なデッドボルト５と、そのデッドボルト５をスライド自在に支持する対向一対の内側ガイド盤６Ａと、その内側ガイド盤６Ａの外側に設けられた対向一対の外側ガイド盤Ｂとが組み込まれている。
【００２８】
図２および図６に示すように、デッドボルト５は、下向きコの字状とされて、天板５ａおよび対向一対の側板５ｂを有し、一方の側板５ｂの下縁後端部には他方の側板５ｂに向けて折れ曲がると共にその先端から下向きに折れ曲がるＬ字形の折曲げ片５ｃが設けられ、その折曲げ片５ｃの下辺に切欠部５ｄが形成されている。
【００２９】
デッドボルト５の対向一対の側板５ｂには、前後方向に間隔をおいて一対のガイドピン７、８が支持され、その前側ガイドピン７および後側ガイドピン８の両端部が対向一対の内側ガイド盤６Ａおよび外側ガイド盤６Ｂのそれぞれに形成された前後一対のガイド孔９にスライド自在に嵌合されている。
【００３０】
前後一対のガイド孔９は前後方向に長く延びる長孔とされ、そのガイド孔９に沿ってデッドボルト５が移動自在とされている。また、デッドボルト５は、上記ガイド孔９の前後両端にガイドピン７、８の両端部が当接する範囲内において移動自在とされ、上記ガイドピン７、８の両端部がガイド孔９の前側端に当接する状態でデッドボルト５の先端部が、図２示すように、ボルト挿入孔４から突出する。その突出位置が施錠位置とされている。
【００３１】
また、ガイドピン７、８の両端部がガイド孔９の後側端に当接する状態でデッドボルト５の先端部が、図１に示すように、ボルト挿入孔４内に没入し、その没入位置が解錠位置とされている。
【００３２】
図２および図６に示すように、デッドボルト５の先端部内には鎌１０が組み込まれている。鎌１０は前側ガイドピン７を中心にして揺動自在とされ、その先端部には下向きに係合片１１が設けられている。また、鎌１０の後端部には下向きに制動片１２が設けられ、その制動片１２は、デッドボルト５が前進動して施錠位置に到達する手前においてボルト挿入孔４の内周下部に当接して停止状態とされる。その停止状態からデッドボルト５がさらに前進することにより、前側ガイドピン７を中心に鎌１０が下向きに揺動し、係合片１１がデッドボルト５の先端部下方に突出するようになっている。
【００３３】
また、係合片１１は、デッドボルト５が後退動し、解錠位置に到達する手前の位置でボルト挿入孔４の内周下辺に当接する。その当接状態からデッドボルト５が後退すると、ボルト挿入孔４の内周下辺に対する接触によって鎌１０が前側ガイドピン７を中心にして上向きに揺動し、デッドボルト５が没入位置まで後退する状態で、そのデッドボルト５の先端部内に収容されるようになっている。
【００３４】
図２に示すように、デッドボルト５の上側にはロックレバー１３が設けられている。ロックレバー１３は、両端部が対向一対の外側ガイド盤６Ｂによって支持された支点ピン１４を中心として揺動自在に支持され、その支点ピン１４に支持されたキックばね１５によって先端部がデッドボルト５を押圧する方向に向けて付勢されている。
【００３５】
ロックレバー１３は、デッドボルト５が施錠位置まで前進した際、先端部がデッドボルト５の天板５ａの後端縁に係合してデッドボルト５を施錠位置でロックするようになっている。
【００３６】
ロックレバー１３の揺動中心側の端部には下向きに突片１６が設けられ、その突片１６は、ロックレバー１３がデッドボルト５を施錠位置でロックする状態で、後側ガイドピン８を中心にして揺動自在に支持された解除レバー１７の揺動端部と前後で対向し、その解除レバー１７の一方向への揺動により押圧される。その押圧によりロックレバー１３が上方に向けて揺動してデッドボルト５のロックを解除するようになっている。
【００３７】
解除レバー１７の揺動中心側の端部には、斜め下向きに延びる受圧片１８が設けられている。
【００３８】
錠箱１の内部には、デッドボルト５の上側に基板ケース２０が組み込まれている。また、基板ケース２０とロックレバー１３との間に形成された空間内にモータ支持枠３０が組み込まれ、そのモータ支持枠３０によって駆動モータ３１が支持されている。
【００３９】
基板ケース２０は、錠箱１に対して固定とされている。図４および図５に示すように、基板ケース２０の内部にはプリント基板２１が収容されている。プリント基板２１はねじ止めによる手段を介して基板ケース２０に固定され、そのプリント基板２１に駆動モータ３１を制御する制御部２２が設けられている。
【００４０】
図１に示すように、駆動モータ３１は、その回転軸３２が錠箱１の後側板に向く横向きの支持とされ、その回転軸３２の回転を減速して出力するギヤ減速機構３３が駆動モータ３１と錠箱１の後板１ａ間に組み込まれている。
【００４１】
ギヤ減速機構３３は、そのトルク伝達系に互いに噛合する一対のべベルギヤ３４、３５を有し、減速回転を出力する出力ギヤ３６は駆動モータ３１の中心軸に直交する水平軸心を中心にして回転するようになっている。
【００４２】
錠箱１の内部には、後板１ａに近接する位置にラックプレート４０が組み込まれている。ラックプレート４０は、対向一対の内側ガイド盤６Ａの後端部間に形成された上下方向のガイド溝４１に沿って昇降自在に支持され、そのラックプレート４０の長さ方向の中央部一側に支持片４２が設けられ、その支持片４２に設けられた連結ピン４３にクランクアーム４４の一端部が回動自在に連結されている。
【００４３】
図１および図７に示すように、クランクアーム４４は、他端部に連動ピン４５を有し、その連動ピン４５は、出力ギヤ３６の一側面に形成された円弧状の長孔３７内にスライド自在に嵌合され、上記出力ギヤ３６の設定角度の回転により、そのクランクアーム４４を介してラックプレート４０が所定ストローク昇降動するようになっている。
【００４４】
図１に示すように、ラックプレート４０の上部一側には二股片４６が設けられ、その二股片４６間にスイッチレバー５０の一端部に設けられた連動ピン５１が嵌合されている。スイッチレバー５０は、基板ケース２０の側板に突設された支点ピン５２によって長さ方向の中央部が支持され、その支点ピン５２を中心として揺動自在とされている。
【００４５】
スイッチレバー５０の他端部には基板ケース２０の側板に形成された円弧状のガイド溝５３に沿って揺動可能な円筒状の磁石ホルダ５４が設けられ、その磁石ホルダ５４によって第１磁石５５が支持されている。
【００４６】
スイッチレバー５０は、ラックプレート４０の昇降動に連動して、支点ピン５２を中心に設定角度揺動する。図４に示すように、プリント基板２１の部品実装面には、スイッチレバー５０と共に揺動する第１磁石５５の停止位置のそれぞれと対向する位置に、デッドボルト５の施錠位置を検出する第１近接スイッチＳ１と、デッドボルト５の解錠位置を検出する第２近接スイッチＳ２とが設けられている。
【００４７】
また、プリント基板２１には、出力ギヤ３６の外周一部と対向する位置に第３近接スイッチＳ３が設けられ、一方、出力ギヤ３６の外周部には、図１に示すように、第２磁石５６が設けられている。
【００４８】
ここで、第１近接スイッチＳ１および第２近接スイッチＳ２は第１磁石５５と対向したとき作動して制御部２２に検出信号を出力するようになっており、制御部は第１近接スイッチＳ１および第２近接スイッチＳ２から入力される検出信号により、駆動モータ３１を直前の回転方向と逆方向に回転させるようになっている。その駆動モータ３１の逆回転により出力ギヤ３６はニュートラルの方向に向けて回転し、ニュートラル位置まで出力ギヤ３６が回転すると、第２磁石５６が、第３近接スイッチＳ３と対向するようになっている。その対向位置において、第３近接スイッチＳ３が作動して制御部２２に停止信号を出力し、制御部２２は第３近接スイッチＳ３から入力される停止信号によって逆回転する駆動モータ３１を停止させるようになっている。
【００４９】
なお、ニュートラル位置とは、長孔３７の一端または他端がクランクアーム４４の連動ピン４５と周方向で対向して、出力ギヤ３６の回転がクランクアーム４４の連動ピン４５に直ちに伝達される位置をいう。
【００５０】
図１および図７に示すように、ラックプレート４０の一側下部には折曲げ片４７が設けられ、その折曲げ片４７の側縁にラック歯４８が設けられている。
【００５１】
図１および図２に示すように、錠箱１の内側下部における後部にはデッドハブ６０が組み込まれている。デッドハブ６０は、ボス部６１を有し、そのボス部６１が錠箱１内に固定された台座６２によって回転自在に支持されている。
【００５２】
デッドハブ６０は図示省略したサムターンの手動による回転操作によって回動されるようになっている。デッドハブ６０の外周にはラックプレート４０のラック歯４８が噛合するピニオン歯６３が形成され、上記ラックプレート４０が昇降動すると、その昇降動に連動してデッドハブ６０が設定角度正逆方向に回転するようになっている。
【００５３】
デッドハブ６０の外周上部には押圧片６４が設けられている。押圧片６４は、デッドボルト５の折曲げ片５ｃに形成された前述の切欠部５ｄ内に先端部が配置されている。押圧片６４は、ラックプレート４０の下降動に連動してデッドハブ６０が一方向に回転した際に、切欠部５ｄの前側壁を押圧してデッドボルト５を施錠位置に向けて移動させるようになっている。
【００５４】
また、押圧片６４は、解除レバー１７の受圧片１８と対向し、ラックプレート４０の上昇動に連動してデッドハブ６０が他方向に回転した際、その受圧片１８を押圧して、解除レバー１７を係合解除位置に向けて揺動させると共に、その解除レバー１７を介してデッドボルト５を解錠位置に向けて移動させるようになっている。
【００５５】
デッドハブ６０の外周下部には、第１ストッパ片６５ａと第２ストッパ片６５ｂとが周方向に間隔をおいて設けられ、これらのストッパ片６５ａ、６５ｂは、台座６２に設けられたストッパ部材６６に対する当接によってデッドハブ６０を施錠位置または解錠位置で停止させるようになっている。
【００５６】
図２に示すように、第１ストッパ片６５ａには、デッドハブ６０を施錠位置と解錠位置とに切り換えて付勢する付勢手段６７が連結されている。付勢手段６７は、第１ストッパ片６５ａにばね支持部材６８の一端部を連結し、そのばね支持部材６８の他端部を内側ガイド盤６Ａに支持された回転可能な軸体６９の径方向孔７０にスライド自在に挿入し、そのばね支持部材６８に支持されたスプリング７１で第１ストッパ片６５ａと軸体６９とを相反する方向に押圧するようにしている。
【００５７】
実施の形態で示す電気錠は上記の構造からなり、図１は、電気錠の解錠状態を示し、デッドボルト５はボルト挿入孔４内に没入する解錠位置に配置されている。その解錠状態において、駆動モータ３１を駆動し、出力ギヤ３６を図１および図８(ａ)の矢印で示す施錠方向に回転させると、出力ギヤ３６に形成された長孔３７の一端がクランクアーム４４の他端部に設けられた連動ピン４５に当接して、その連動ピン４５を引き上げる。その引き上げにより、クランクアーム４４を介して引き上げられて、ラックプレート４０が上昇動する。
【００５８】
また、ラックプレート４０の上昇動により、スイッチレバー５０が支点ピン５２を中心にして、磁石支持側の端部が下降動する方向(図１の矢印で示す方向)に揺動すると共に、デッドハブ６０が施錠方向(図１の矢印示す方向)に回動する。
【００５９】
デッドハブ６０の回動により、そのデッドハブ６０の外周に設けられた押圧片６４がデッドボルト５に設けられた切欠部５ｄの前側壁を押圧する。その押圧により、デッドボルト５が施錠位置に向けて移動する。
【００６０】
図２は、デッドボルト５が施錠位置まで移動した状態を示し、そのデッドボルト５の施錠状態において、ロックレバー１３の先端部がデッドボルト５の天板５ａの後端縁に係合して、デッドボルト５を施錠位置でロックする。
【００６１】
また、デッドボルト５の施錠状態において、スイッチレバー５０の他端部に支持された第１磁石５５がプリント基板２１に実装された第１近接スイッチＳ１と対向し、第１近接スイッチＳ１が作動して、施錠位置検出信号を制御部２２に出力する。
【００６２】
制御部２２は、第１近接スイッチＳ１から入力される検出信号により、駆動モータ３１を直前の回転方向と逆方向に回転させる。その駆動モータ３１の逆回転により、出力ギヤ３６が、図８(ｂ)の矢印で示すように、ニュートラルの方向に向けて回転する。出力ギヤ３６が、図８(ｃ)に示すように、ニュートラル位置まで回転すると、第２磁石５６が、第３近接スイッチＳ３と対向する。その対向位置において、第３近接スイッチＳ３が作動して制御部２２に停止信号を出力する。制御部２２は第３近接スイッチＳ３から入力される停止信号によって逆回転する駆動モータ３１を停止させる。
【００６３】
上記のようにして、出力ギヤ３６がニュートラルの位置まで戻されると、長孔３７の他端がクランクアーム４４の他端部に設けられた連動ピン４５と周方向で対向する状態とされる。
【００６４】
図２に示す電気錠の施錠状態において、駆動モータ３１を駆動し、出力ギヤ３６を同図の矢印で示す解錠方向に回転させると、出力ギヤ３６に形成された長孔３７の他端がクランクアーム４４の他端部に設けられた連動ピン４５に当接して、その連動ピン４５を引き下げる。その引き下げにより、クランクアーム４４を介して引き上げられて、ラックプレート４０が下降動する。
【００６５】
また、ラックプレート４０の下降動により、スイッチレバー５０が支点ピン５２を中心にして、磁石支持側の端部が上昇動する方向(図２の矢印で示す方向)に揺動すると共に、デッドハブ６０が解錠方向(図２の矢印示す方向)に回動する。
【００６６】
デッドハブ６０の解錠方向への回動により、そのデッドハブ６０の外周に設けられた押圧片６４が解除レバー１７の受圧片１８を押圧し、その押圧により解除レバー１７が揺動してロックレバー１３の突片１６を押圧する。
【００６７】
突片１６の押圧により、ロックレバー１３が係合解除方向に揺動してデッドボルト１５のロックを解除する。その解除状態において、押圧片６４は受圧片１８を押し続けるため、デッドボルト５は後退動して、図１に示すように、解錠状態とされる。
【００６８】
デッドボルト５の解錠状態において、スイッチレバー５０の他端部に支持された第１磁石５５がプリント基板２１に実装された第２近接スイッチＳ２と対向し、第２近接スイッチＳ２が作動して、解錠位置検出信号を制御部２２に出力する。
【００６９】
制御部２２は、第２近接スイッチＳ２から入力される検出信号により、駆動モータ３１を直前の回転方向と逆方向に回転させる。その駆動モータ３１の逆回転により出力ギヤ３６はニュートラルの方向に向けて回転する。出力ギヤ３６がニュートラル位置まで回転すると、第２磁石５６が、第３近接スイッチＳ３と対向する。その対向位置において、第３近接スイッチＳ３が作動して制御部２２に停止信号を出力し、制御部２２は第３近接スイッチＳ３から入力される停止信号によって逆回転する駆動モータ３１を停止させる。
【００７０】
上記のようにして、出力ギヤ３６がニュートラルの位置まで戻されると、図１および図８(ａ)に示すように、長孔３７の一端がクランクアーム４４の他端部に設けられた連動ピン４５と周方向で対向する状態とされる。
【００７１】
実施の形態における電気錠のスイッチ機構においては、ラックプレート４０の昇降動に連動して揺動するスイッチレバー５０を基板ケース２０の側板に突設された支点ピン５２で揺動自在に支持し、そのスイッチレバー５０の他端部に設けられた第１磁石５５によって作動される２つの近接スイッチＳ１、Ｓ２のそれぞれを基板ケース２０内に収容されたプリント基板２１の部品実装面で支持するようにしているため、近接スイッチＳ１、Ｓ２と第１磁石５５の相互間に精度の高い位置関係を確保することができる。このため、第１磁石５５によって近接スイッチＳ１、Ｓ２のそれぞれを確実に作動させることができる。
【符号の説明】
【００７２】
１    錠箱
５    デッドボルト
２０  基板ケース
２１  プリント基板
２２  制御部
３１  駆動モータ
３２  回転軸
３３  ギヤ減速機構
３６  出力ギヤ
３７  長孔
４０  ラックプレート
４４  クランクアーム
４５  連動ピン
５０  スイッチレバー
５２  支点ピン
５５  第１磁石(磁石)
６０  デッドハブ
Ｓ１  第１近接スイッチ(近接スイッチ)
Ｓ２  第２近接スイッチ(近接スイッチ)
【図１】
0005877115.tif 000002
【図２】
0005877115.tif 000003
【図３】
0005877115.tif 000004
【図４】
0005877115.tif 000005
【図５】
0005877115.tif 000006
【図６】
0005877115.tif 000007
【図７】
0005877115.tif 000008
【図８】
0005877115.tif 000009